(57)【要約】【課題】軽量で設置が容易であり長期に安定し、総合的な生態系の観察が可能なビオトープの提供を目的とする。【解決手段】槽と当該槽の内側に設置した発泡樹脂体をベースに生物の生息環境を形成するビオトープであって、前記発泡樹脂体の上面に土壌部と川を設けることで生物の生育空間を形成し、前記発泡樹脂体を部分的に切り欠き、槽の壁との間に池や沼を設けることで前記川と組み合せた水系を形成し、前記水系の水循環を行うための、ソーラーパネルを用いた太陽光発電駆動によるポンプを備えたことを特徴とする。【選択図】  図１
0003164916.tif 000002
【実用新案登録請求の範囲】
【請求項１】
槽と当該槽の内側に設置した発泡樹脂体をベースに生物の生息環境を形成するビオトープであって、
前記発泡樹脂体の上面に土壌部と川を設けることで生物の生育空間を形成し、
前記発泡樹脂体を部分的に切り欠き、槽の壁との間に池や沼を設けることで前記川と組み合せた水系を形成し、
前記水系の水循環を行うための、ソーラーパネルを用いた太陽光発電駆動によるポンプを備えたことを特徴とするビオトープ。
【請求項２】
前記水系の途中に樹皮、炭及び貝殻とを組み合せた浄化材を配置したことを特徴とする請求項１記載のビオトープ。
【請求項３】
前記発泡樹脂体は槽の底面に固定するとともに発泡樹脂体の裏面に排水溝を形成し、前記排水溝は槽の底面に設けた外部への排水孔と連通し、
前記排水溝は通常の状態にて前記水系と連通していないが、前記発泡樹脂体の裏面に水が浸入した場合には、前記排水孔から当該浸入した水が排水されることを特徴とする請求項１又は２記載のビオトープ。
【考案の詳細な説明】
【技術分野】
【０００１】
本考案は、自然形態に近い生物の生息環境を形成するのに適したビオトープに関し、特に学校の校庭や公園等に設置し、教育に活用しやすいビオトープに係る。
【背景技術】
【０００２】
近年、身近に森や川が少なくなり、児童、生徒に対しての環境教育の必要性が高くなっている。
水草、水生植物、プランクトン、小さな魚、昆虫、植物等と川、池、沼といった生態系の学習を児童、生徒が先生と一体になって学ぶには、ビオトープが有効な手段となっている。
しかし、従来はビオトープの設置には大掛かりな造成が必要であったために普及が困難であった。
例えば、特許文献１に人工の池や川等の貯水部と水耕植物を生育させた水の浄化手段を設けた水循環型ビオトープを開示する。
しかし、同公報に開示するビオトープも大掛かりな造成が必要であり、生態系を形成するのに長期間かかる問題がある。
【先行技術文献】
【特許文献】
【０００３】
【特許文献１】特開２００５−３０８９２７号公報
【考案の開示】
【考案が解決しようとする課題】
【０００４】
本考案は、軽量で設置が容易であり長期に安定し、総合的な生態系の観察が可能なビオトープの提供を目的とする。
【課題を解決するための手段】
【０００５】
本考案に係るビオトープは、槽と当該槽の内側に設置した発泡樹脂体をベースに生物の生息環境を形成するビオトープであって、前記発泡樹脂体の上面に土壌部と川を設けることで生物の生育空間を形成し、前記発泡樹脂体を部分的に切り欠き、槽の壁との間に池や沼を設けることで前記川と組み合せた水系を形成し、前記水系の水循環を行うための、ソーラーパネルを用いた太陽光発電駆動によるポンプを備えたことを特徴とする。
【０００６】
ここで発泡樹脂体とは、発泡スチロール、発泡ウレタン等の発泡体をいい、軽量で簡単に加工ができるメリットがある。
また、駆動電源としてソーラーパネルを用いたことにより、太陽光発電のシステム教育にも役立つ。
【０００７】
ここで、水系の水質を長期にわたって安定させるには、前記水系の途中に樹皮、炭及び貝殻とを組み合せた浄化材を配置するのが好ましい。
この場合に浄化材として、樹皮、炭及び貝殻を用いたのはプランクトン等の水中生物の生育環境を破壊することなく、水質を維持するのに効果的だからであり、樹皮としては杉の皮が好ましく、貝殻としてはカキの殻が好ましい。
例えば、質量でカキ殻２０〜４０％，炭４０〜６０％，杉皮２０〜４０％の範囲で組み合せ混合するのがよい。
【０００８】
発泡樹脂体は軽量で自由な形状に簡単に加工できるが、水に対して大きな浮力が発生することから、発泡樹脂体の固定部に亀裂や隙間が生じると、この発泡樹脂体が浮いてしまうことも想定されるが、本考案にあっては、前記発泡樹脂体は槽の底面に固定するとともに発泡樹脂体の裏面に排水溝を形成し、前記排水溝は槽の底面に設けた外部への排水孔と連通し、前記排水溝は通常の状態にて前記水系と連通していないが、前記発泡樹脂体の裏面に水が浸入した場合には、前記排水孔から当該浸入した水が排水されるようにしたので上記のようなトラブルが発生することは無くなる。
【考案の効果】
【０００９】
本考案に係るビオトープは、ベース部を発泡樹脂体で形成したので、その上に土壌層を形成して植物や小さな木を植生したり川を造ることができ、この発泡樹脂体を槽の内側に配置したので、一部を切り欠くことで簡単に池や沼を造ることができる。
また、ソーラーパネルによる太陽光発電システムを組み合せたことにより、省エネルギー化のみならず自然環境と合せた総合的な教育に寄与できる。
【図面の簡単な説明】
【００１０】
【図１】本考案に係るビオトープの外観図を示す。
【図２】ビオトープの配置図を示す。
【図３】槽及び発泡樹脂体の構造例を示す。
【図４】発泡樹脂体の裏面斜視図を示す。
【図５】ビオトープの断面図を示す。
【図６】発泡樹脂体の裏面側に水が浸入した場合の排水説明図を示す。
【考案を実施するための最良の形態】
【００１１】
本考案に係るビオトープ１００について、以下図面に基づいて説明する。
図１（ａ）は手前の池３から奥側に設けた沼５に川４に沿って水が流れる状態を示し、（ｂ）はそれを横から見た状態を示す。
槽１０はＰＶＣ製の底板１１の周囲から樹脂製の側板１２を立設し、上端を金属製の上枠１３にて補強した例になっている。
周囲の側板１２のうち、少なくとも池３を設けた部分は透明板を用いて池の中が観察できるようになっている。
槽１０の内側にはベース体として発泡樹脂体２０を配置してあり、この発泡樹脂体を加工することで槽１０の側板１２及び底面１１の一部との間に池３、沼５等を形成し、上面には川４を形成し、その周囲に土壌層を形成し、植生した草原１、岩山２等を形成した例になっている。
このような生物の生息環境はこれに限定されることなく、自由に設計できる。
【００１２】
図２にビオトープ及び周辺機器の構成例を示す。
槽１０の内側を図３に示すように仕切板１７，１７ａ及び１７ｂにて仕切ってあり、
池３から川４に沿って沼５に符号７で示すように流れた水は仕切板１７で区分けした浄化部１４に流れる。
浄化部１４には、図５（ａ）にＡ−Ａ線断面図を示すように、杉皮２０％、炭５０％、カキ殻２０％の浄化材を入れてある。
浄化部１４を通過した水は仕切板１７ａの上端を超え、第１貯水部１４ａの上澄み液は仕切板１７ｂの上端を超えると第２貯水部１５に溜まり、次にポンプ４０にて池３にポンプアップ４１し、水系が形成される。
ソーラーパネル６０にて発電した電流を制御部５０にて変換制御した駆動電源にてポンプ４０が稼働する。
なお、表示部５１には発電出力が表示される。
【００１３】
発泡樹脂体２０は、図４に裏面斜視図を示すように縦横の溝部２１，２２をクロスさせ、この溝部が図５（ｂ）にＢ−Ｂ線断面図を示すように槽１０の底面１１に貫通して設けた排水孔１１ａと連通している。
また、図５（ｃ）にＣ−Ｃ線断面図を示すように底面１１にプレート２４を接着し、スタッドボルト２５を発泡樹脂体２０の上部に挿通し、固定プレート２６を介してナット２７で締結固定してある。
プレート２４は図４に示した発泡樹脂体２０の裏面凹部２３に位置する。
通常はスタッドボルトにて発泡樹脂体２０を底面１１に固定してあるので問題はないが、仮に図６に示すように発泡樹脂体２０の裏面側に隙間ｄができ、池３や沼５等から水Ｗが浸入しても溝部２１，２２を経由して底面の排水孔１１ａから外部に浸入水が排出されるので、発泡樹脂体２０が浮力にて浮き上がることはない。
また、雨が降って水位が高くなると、側板１２に設けた流水孔１６から外部に流れるようになっている。
【符号の説明】
【００１４】
１        草原
２        岩山
３        池
４        川
５        沼
７        水の流れ
１０      槽
１１      底板
１２      側板
１３      上枠
２０      発泡樹脂体
３０      浄化材
４０      ポンプ
５０      制御部
６０      ソーラーパネル
１００    ビオトープ
【図１】
0003164916.tif 000003
【図２】
0003164916.tif 000004
【図３】
0003164916.tif 000005
【図４】
0003164916.tif 000006
【図５】
0003164916.tif 000007
【図６】
0003164916.tif 000008